【手続補正書】
【提出日】平成25年1月11日(2013.1.11)
【手続補正１】
【補正対象書類名】特許請求の範囲
【補正対象項目名】全文
【補正方法】変更
【補正の内容】
【特許請求の範囲】
【請求項１】
少なくとも１つのスピーカを含む中央部と、第１の複数のスピーカを含む第１の側部と、第２の複数のスピーカを含む第２の側部とを備え、すべてのスピーカをオーディオ信号源に接続することのできるヘッドレスト。
【請求項２】
前記中心部が複数のスピーカを含む、請求項１に記載のヘッドレスト。
【請求項３】
前記中央部の前記複数のスピーカが、第１のオーディオ信号を再現することのできる少なくとも第１のスピーカと、第２のオーディオ信号を再現することのできる少なくとも第２のスピーカとを含む、請求項２に記載のヘッドレスト。
【請求項４】
前記中央部の前記複数のスピーカが、第３のオーディオ信号を再現することのできる少なくとも１つの第３のスピーカを含む、請求項３に記載のヘッドレスト。
【請求項５】
前記第１の側部の前記複数のスピーカが、
第１のオーディオ信号を再現することのできる少なくとも１つの第１のスピーカと、
第２のオーディオ信号を再現することのできる少なくとも１つの第２のスピーカと、
を含み、前記第２の側部の前記複数のスピーカが、
第３のオーディオ信号を再現することのできる少なくとも１つの第３のスピーカと、
第４のオーディオ信号を再現することのできる少なくとも１つの第４のスピーカと、
を含む、請求項１に記載のヘッドレスト。
【請求項６】
前記第１のオーディオ信号および第３のオーディオ信号が同一である、請求項５に記載のヘッドレスト。
【請求項７】
前記中央部にある前記複数のスピーカが、
第１のオーディオ信号を再現することのできる少なくとも１つの第１のスピーカと、
第２のオーディオ信号を再現することのできる少なくとも１つの第２のスピーカと、
を含み、前記第１の側部の前記第１の複数のスピーカが、
第３のオーディオ信号を再現することのできる少なくとも１つの第３のスピーカと、
第４のオーディオ信号を再現することのできる少なくとも１つの第４のスピーカと、
を含み、前記第２の側部の前記第２の複数のスピーカが、
第５のオーディオ信号を再現することのできる少なくとも１つの第５のスピーカと、
第６のオーディオ信号を再現することのできる少なくとも１つの第６のスピーカと、
を含む、請求項２に記載のヘッドレスト。
【請求項８】
前記第３のオーディオ信号および第５のオーディオ信号が同一である、請求項７に記載のヘッドレスト。
【請求項９】
前記第１の側部の前記第１の複数のスピーカが、第７のオーディオ信号を再現することのできる少なくとも１つの第７のスピーカを含み、前記第２の側部の前記第３の複数のスピーカが、第８のオーディオ信号を再現することのできる少なくとも１つの第８のスピーカを含む、請求項７に記載のヘッドレスト。
【請求項１０】
前記中央部の前記複数のスピーカが、第７のオーディオ信号を再現することのできる少なくとも１つの第７のスピーカを含む、請求項７に記載のヘッドレスト。
【請求項１１】
前記中央部の前記複数のスピーカが、第９のオーディオ信号を再現することのできる少なくとも１つの第９のスピーカを含む、請求項９に記載のヘッドレスト。
【請求項１２】
前記側部が、前記中央部の各側面から延伸しており、前記中央部に対して略垂直である、請求項１から１１のいずれか１項に記載のヘッドレスト。
【請求項１３】
前記中央部および側部が高分子発泡体から作られている、請求項１に記載のヘッドレスト。
【請求項１４】
前記中央部および側部が膜で覆われている、請求項１に記載のヘッドレスト。
【請求項１５】
前記膜がポリマー素材から作られている、請求項１４に記載のヘッドレスト。
【請求項１６】
前記膜がエラストマー素材から作られている、請求項１４に記載のヘッドレスト。
【請求項１７】
中央部と、前記中央部の１つの側面に置かれ、前記中央部に対して略垂直に延伸している第１の側部と、
前記中央部の第２の側面に置かれ、前記中央部に対して略垂直に延伸している第２の側部と、
を備えるヘッドレストであって、前記中央部が第１の複数のスピーカを含み、前記第１の側部が第２の複数のスピーカを含み、前記第２の側部が第３の複数のスピーカを含み、すべてのスピーカがオーディオ信号源に接続できるヘッドレスト。
【請求項１８】
前記中央部にある前記第１の複数のスピーカが、
第１のオーディオ信号を再現することのできる少なくとも１つの第１のスピーカと、
第２のオーディオ信号を再現することのできる少なくとも１つの第２のスピーカと、
を含み、前記第１の側部の前記第２の複数のスピーカが、
第３のオーディオ信号を再現することのできる少なくとも１つの第３のスピーカと、
第４のオーディオ信号を再現することのできる少なくとも１つの第４のスピーカと、
を含み、前記第２の側部の前記第３の複数のスピーカが、
第５のオーディオ信号を再現することのできる少なくとも１つの第５のスピーカと、
第６のオーディオ信号を再現することのできる少なくとも１つの第６のスピーカと、
を含む、請求項１７に記載のヘッドレスト。
【請求項１９】
前記第３のオーディオ信号および第５のオーディオ信号が同一である、請求項１８に記載のヘッドレスト。
【請求項２０】
前記第１の側部の前記第２の複数のスピーカが、第７のオーディオ信号を再現することのできる少なくとも１つの第７のスピーカを含み、前記第２の側部の前記第３の複数のスピーカが、第８のオーディオ信号を再現することのできる少なくとも１つの第８のスピーカを含む、請求項１８に記載のヘッドレスト。
【請求項２１】
前記第７のスピーカが前記第３および第４のスピーカよりも前記中央部に近くなるように前記第３、第４、および第７のスピーカが前記第１の側部に配置されている、請求項２０に記載のヘッドレスト。
【請求項２２】
前記第８のスピーカが前記第５および第６のスピーカよりも前記中央部に近くなるように前記第５、第６、および第８のスピーカが前記第２の側部に配置されている、請求項２１に記載のヘッドレスト。
【請求項２３】
前記第７および第８のスピーカが前記中央部に対して略同じ高さで置かれている、請求項２２に記載のヘッドレスト。
【請求項２４】
前記中央部の前記複数のスピーカが、第７のオーディオ信号を再現することのできる少なくとも１つの第７のスピーカを含む、請求項１８に記載のヘッドレスト。
【請求項２５】
前記中央部の前記複数のスピーカが、第９のオーディオ信号を再現することのできる少なくとも１つの第９のスピーカを含む、請求項２０に記載のヘッドレスト。
【請求項２６】
前記中央部および側部が高分子発泡体から作られている、請求項１７に記載のヘッドレスト。
【請求項２７】
前記中央部および側部が膜で覆われている、請求項１７に記載のヘッドレスト。
【請求項２８】
前記膜がポリマー素材から作られている、請求項２７に記載のヘッドレスト。
【請求項２９】
前記膜がエラストマー素材から作られている、請求項２７に記載のヘッドレスト。
【請求項３０】
オーディオ信号源に接続されるように適合されており、前記オーディオ信号源が少なくとも８つの異なるオーディオ信号を生成することができるヘッドレストであって、
中央部と、前記中央部の１つの側面に置かれ、前記中央部に対して略垂直に延伸している第１の側部と、
前記中央部の第２の側面に置かれ、前記中央部に対して略垂直に延伸している第２の側部と、
を備え、前記中央部が第１の複数のスピーカを含み、前記第１の側部が第２の複数のスピーカを含み、前記第２の側部が第３の複数のスピーカを含み、すべてのスピーカがオーディオ信号源に接続できるヘッドレスト。
【請求項３１】
前記中央部にある前記第１の複数のスピーカが、
前記８つのオーディオ信号のうちの前記第１のものを再現することのできる少なくとも１つの第１のスピーカと、
前記８つのオーディオ信号のうちの第２のものを再現することのできる少なくとも１つの第２のスピーカと、
前記８つのオーディオ信号のうちの第３のものを再現することのできる少なくとも１つの第３のスピーカと、
を含み、前記第１の側部の前記第２の複数のスピーカが、
前記８つのオーディオ信号のうちの第４のものを再現することのできる少なくとも１つの第４のスピーカと、
前記８つのオーディオ信号のうちの第５のものを再現することのできる少なくとも１つの第５のスピーカと、
前記８つのオーディオ信号のうちの第６のものを再現することのできる少なくとも１つの第６のスピーカと、
を含み、前記第２の側部の前記第３の複数のスピーカが、
前記第４のスピーカと同じ信号を再現することのできる少なくとも１つの第７のスピーカと、
前記８つのオーディオ信号のうちの第７のものを再現することのできる少なくとも１つの第８のスピーカと、
前記８つのオーディオ信号のうちの第８のものを再現することのできる少なくとも１つの第９のスピーカと、
を含む、請求項３０に記載のヘッドレスト。
【請求項３２】
前記第４および第５のスピーカが前記第１の側部に第１の高度で置かれており、前記第６のスピーカが前記第１の側部に第２の高度で置かれており、前記第２の高度が前記第１の高度よりも低い、請求項３１に記載のヘッドレスト。
【請求項３３】
前記第７および第８のスピーカが前記第２の側部に第１の高度で置かれており、前記第９のスピーカが前記第２の側部に第２の高度で置かれており、前記第２の高度が前記第１の高度よりも低い、請求項３２に記載のヘッドレスト。
【請求項３４】
前記第１および第２の側部の前記第１の高度が略等しい高度であり、前記第１および第２の側部の前記第２の高度が略等しい高度である、請求項３３に記載のヘッドレスト。
【請求項３５】
オーディオ信号源に接続されるように適合されたヘッドレストであって、前記ヘッドレストが前端と後端とを有し、中央部と、前記中央部の一方の側面に位置し、前記中央部に対して略垂直に延伸している第１の側部と、前記中央部の第２の側面に位置し、前記中央部に対して略垂直に延伸している第２の側部と、を含み、
前記中央部が、前記オーディオ信号源に接続できる第１の複数のスピーカを含み、前記第１の側部が、前記オーディオ信号源に接続できる第２の複数のスピーカを含み、前記第２の側部が、前記オーディオ信号源に接続できる第３の複数のスピーカを含み、
前記第１の複数のスピーカが、第１のオーディオ信号を再現することのできる第１のスピーカと、第２のオーディオ信号を再現することのできる第２のスピーカと、第３のオーディオ信号を再現することのできる第３のスピーカと、を含み、前記第１および第２のスピーカが、前記第３のスピーカよりも前記後端の近くに位置し、
前記第２の複数のスピーカが、第４のオーディオ信号を再現することのできる第４のスピーカと、第５のオーディオ信号を再現することのできる第５のスピーカと、第６のオーディオ信号を再現することのできる第６のスピーカと、を含み、前記第４のスピーカが、前記第５および第６のスピーカよりも前記前端の近くに位置し、前記第６のスピーカが、前記第４および第５のスピーカよりも前記中央部の近くに位置し、
前記第３の複数のスピーカが、第７のオーディオ信号を再現することのできる第７のスピーカと、第８のオーディオ信号を再現することのできる第８のスピーカと、第９のオーディオ信号を再現することのできる第９のスピーカと、を含み、前記第７のスピーカが前記第８および第９のスピーカよりも前記前端の近くに位置し、前記第９のスピーカが前記第７および第８のスピーカよりも前記中央部の近くに位置するヘッドレストであって、
前記第４および第７のオーディオ信号が同一であり、その他のオーディオ信号が互いに異なるヘッドレスト。
【請求項３６】
前記中央部および側部が高分子発泡体から作られている、請求項３５に記載のヘッドレスト。
【請求項３７】
前記中央部および側部が膜で覆われている、請求項３５に記載のヘッドレスト。
【請求項３８】
前記膜がポリマー素材でできている、請求項３７に記載のヘッドレスト。
【請求項３９】
前記膜がエラストマー素材から作られている、請求項３７に記載のヘッドレスト。